(57)【要約】【課題】小型の農作業器具，収穫物，資材等を搭載する簡便な移動農機の収納具取付構造を提供する。【解決手段】この発明は、バスケット等の収納具２１を備えた移動農機であって、機体１に取付けられた左右方向の横杆１９，３７と、該横杆１９，３７に設けられたアタッチメント２６とを備え、該アタッチメント２６と係合可能な係合部３３，３４を上記収納具２１の外周面に設けている。  横杆は、機体１前方から突出するループ状の持ち手１９又は歩行型移動農機の操作用ハンドル９に横設された横杆３７であってもよい。【選択図】図５
2008142039.tif 000002
【特許請求の範囲】
【請求項１】
収納具（２１）を備えた移動農機であって、機体（１）に取付けられた左右方向の横杆（１９），（３７）と、該横杆（１９），（３７）に設けられたアタッチメント（２６）とを備え、該アタッチメント（２６）と係合可能な係合部（３３），（３４）を上記収納具（２１）の外周面に設けてなる移動農機の収納具取付構造。
【請求項２】
横杆が、機体（１）前方から突出するループ状の持ち手（１９）又は歩行型移動農機の操作用ハンドル（９）に横設された横杆（３７）である請求項１の移動農機の収納具取付構造。
【発明の詳細な説明】
【技術分野】
【０００１】
この発明は、移動農機の収納具取付構造に関する。
【背景技術】
【０００２】
カゴや袋等の収納具を備えた移動農機が公知となっており（特許文献１）、通常上記収納具には鎌等の農作業用具や小物類，収穫した作物等を収納する。
【特許文献１】特開２００４−１９３１６号公報
【発明の開示】
【発明が解決しようとする課題】
【０００３】
しかし、上記文献においては、収納具の取付構造が開示されていないため、どのようにして収納具を機体に取付けるかが問題になる。ちなみに、移動農機は、用途等によってその構成が異なり（例えば、図１４と図１５に示す歩行型管理機においては、機体１を持ち上げる持ち手１９の位置、操作用のハンドル９の形状等が異なる。）、移動農機の種類毎に取付構造が異なり、汎用性が乏しいという欠点がある。
【課題を解決するための手段】
【０００４】
上記課題を解決するため本発明の移動農機の収納具取付構造においては、第１に収納具２１を備えた移動農機であって、機体１に取付けられた左右方向の横杆１９，３７と、該横杆１９，３７に設けられたアタッチメント２６とを備え、該アタッチメント２６と係合可能な係合部３３，３４を上記収納具２１の外周面に設けてなることを特徴としている。
【０００５】
第２に、横杆が、機体１前方から突出するループ状の持ち手１９又は歩行型移動農機の操作用ハンドル９に横設された横杆３７であることを特徴としている。
【発明の効果】
【０００６】
以上のように構成される本発明の移動農機の収納具取付構造によれば、左右方向の横杆を備える移動農機であれば、アタッチメントを介して収納具を取付けることができるため、収納具の取付構造の汎用性が高くなる。そして収納具の取付構造の汎用性が高くなれば取付用部品の製造コストを低く抑えることも可能になる。
【０００７】
また、歩行型管理機の操作用ハンドルに横設された横杆にアタッチメントを設け、該アタッチメントを介して収納具を取付ければ、オペレータが移動農機を操作しながら収納具を利用することができるため利便性が良くなる。さらに、移動農機の持ち手を横杆とすることにより、持ち手を備える移動農作業機であれば収納具を取付けることが可能になり、収納具取付構造の汎用性がさらに高くなる。
【発明を実施するための最良の形態】
【０００８】
以下移動農機が管理機である場合の本発明のいくつかの実施例につき説明すると、図１〜４はこの発明の第１実施例を示している。
【０００９】
機体１は機体フレームとなるミッションケース２の後方に車輪３を軸支し、前方には耕耘ロータリー４が軸支されている。その後方上部にはエンジン６及び燃料タンク５が搭載され、後方にはハンドルフレーム７が突設されており、機体１の後方の持ち手を兼ねたハンドル取付用の支点軸８を介してループ型のハンドル９の前端が取付けられている。
【００１０】
ハンドル９のループ部１１の前方には走行クラッチハンドル１２が揺動自在に横設され、ループ部１１中央部に突設した補助ハンドル１３と前後に重なるように把持して入操作する。１４は耕耘用のクラッチレバーで、左右のハンドルフレーム７間に架設されたガイドプレートに沿って揺動操作する。
【００１１】
またロータリー４の上方から後部上方を覆うように円弧状のロータリー（耕耘）カバー１７が後端においてミッションケース２に取付けられており、該カバー１７は前方に突出する左右のカバーフレーム１８を備え、カバーフレーム１８の前端にはループ状の横杆からなる前方の持ち手１９が設けられ、後方の持ち手（支点軸）８と共に機体持ち上げ時の把手となる。
【００１２】
前記持ち手１９は平地走行姿勢で斜め前方に突出しており、該持ち手１９と燃料タンク５及びエンジン６との間には比較的広いスペース（収納具スペース）が設けられ、このスペースには例えばメッシュ材やパンチングメタル等製の篭又は箱型の容器からなる小型の農作業具，小物，収穫物等を収納する収納具２１が設置される。
【００１３】
さらにロータリー４の前方には、ゲージ輪ガイド（ブラケット）２２を介してゲージ輪２３が前方下向きに且つ上下揺動位置調節可能に設けられ、このゲージ輪２３は上方基端部側にゲージ輪揺動操作用の把手２４が突設されている。上記収納具２１は持ち手１９に対して後述するアタッチメント２６を介して取付けられ、収納具２１自体は図２（Ａ）〜（Ｄ）及び図４に、アタッチメント２６は図３（Ａ），（Ｂ）にそれぞれ詳細に示している。
【００１４】
図２（Ａ）〜（Ｄ）は市販されている上部開放型のバスケット（収納具）で、平面視（Ａ）及び背面視（Ｂ）は共に長方形をなし、背面側には左右に縦長のフック孔２７ａ，２７ａが形成され、その上部中央には横長のロック孔２７ｂが形成された取付プレート２７が付設されている。
【００１５】
さらにバスケット２１の左右両側上端にはゲート状の把手２８の基端部が把手プレート２９を介して起伏回動自在に取付けられており、図２（Ｃ）は把手が倒伏した状態を、同（Ｄ）は起立して保持可能な状態をそれぞれ示す。
【００１６】
図３（Ａ），（Ｂ）に示すアタッチメント２６は、バスケット２１に対してワンタッチ係脱可能に取付けられる本体部３１と横杆（持ち手）１９に対して取付けられる押圧具３２とからなり、本体部３１は左右に円弧状凹部からなる受部３１ａを有し、押圧具３２は平面視ゲート状でその両側は側面視で共に円弧状のループ部３２ａを備えている。ループ部３２ａの４本の開放端は本体部３１の端面の挿入孔３１ｂに挿入され、反対端面から挿入されるボルト３５によって押圧具３２自体が本体部３１に締着固定される構造になっている。
【００１７】
そして上記締着により本体部３１の受部３１ａと押圧具３２のループ３２ａは、その内周面によって形成される側面視円形のリング状部内に横杆１９を挿通して締着し、アタッチメント２６自体が横杆１９に締着固定される。平面視における押圧具３２のループ部３２ｂは、アタッチメント２６の横杆１９に対する回動角を調節する際の把手（ハンドル）にもなる。
【００１８】
また本体部３１の基端面側には前述したバスケット２１のフック孔２７ａに下側から上向きに挿入されてプレート２７を介してバスケット２１自体を係止保持する上向きの２本のフック３３が突設されている。さらに該フック３３，３３間の上部にはプレート２７のロック孔２７ｂに弾力的に挿入されるロック爪３４が突設され、該ロック爪３４上には、ロック爪３４と一体的に前後スライドするロック解除操作用のスライダー３６が設けられ、フック３３とロック爪３４とによって係止ロック状態のバスケット２１とアタッチメント２６との係止を、上記スライダー３６を弾力的にスライド操作することによって解除する。
【００１９】
このようにバスケット（収納具）２１を取付ける場合、図１（Ｂ）に示すようにゲージ輪２３を上昇させた（図６（Ｂ）仮想線参照）状態の深耕ラインＬ１，ゲージ輪２３を最下方に回動させた非耕耘（地上走行）ラインＬ２のいずれの場合も収納具として使用可能な高さ及び姿勢となっている。
【００２０】
図６（Ａ），（Ｂ）及び図７の管理機はロータリーカバー１７の左右２本のカバーフレーム１８の先端とループ状の持ち手（横杆）１９の基端部が互いにスライド自在に嵌合し合っており、このためバスケット２１の位置も前後位置調節又は収納具スペースの調節が可能となる。図６（Ｂ）ではゲージ輪２３の上限位置と下限位置が共に示されている。図７はハンドル９を支点軸８において前方に折畳み回動させた図であり、管理機を格納する姿勢である。
【００２１】
図８はカバーフレーム１８に対してスライド調節可能な横杆（持ち手）１９とゲージ輪ガイド２２及びこれらの一体構造を示す側面図で、持ち手１９の両端には前後２段の差込孔１９ａが上下方向に穿設されており、その差込孔１９ａにはカバーフレーム１８先端に設けた係止部２０の係止ピン２０ａが選択的に差込まれ、持ち手１９の突出長さが前後調節される。上記ピン２０ａはスプリング２０ｂにより弾力的に差込まれ、引抜く時は弾力に抗して上方に引抜かれる。
【００２２】
１８ａはカバーフレーム１８に軸方向に穿設されたスライドガイド溝であり、１９ｂは持ち手１９側に突設され、上記スライドガイド溝１８ａ内に収容されて持ち手１９のスライド量を規制しながら案内するガイドピンである。
【００２３】
ゲージ輪ガイド２２はカバーフレーム１８側に固着されて機体フレーム２側に取付けられるが、側面視後方にゲージ輪アームの揺動支点溝２２ａが、また側面視前方には、円弧状のガイド溝２２ｂが穿設され、ここでゲージ輪２３の高さが複数段に上下回動調節される。
【００２４】
図９（Ａ），（Ｂ）は図８に示す持ち手１９のスライド量調節機構と係止部２０を備えた管理機のハンドル折畳み前後の側面図を示すものである。
【００２５】
図１０（Ａ），（Ｂ）は共に図１の管理機の持ち手１９に対し、前方（機体外側）に突出させてバスケット２１を取付けた図である。
【００２６】
図１１，図１２は共に車輪自体にロータリー４を備え又は車輪を備えない一軸型管理機を示し、図１１はハンドル９側の横杆３７にバスケット２１を取付けたものを、図１２は持ち手１９をスライド式にしたものにバスケット２１を付設したものをそれぞれ示している。
【００２７】
３９はいずれも抵抗棒である。図１３はスライド式の持ち手１９を最深部まで挿入して、バスケット２１を取付けない状態の管理機である。
図１４（Ａ），（Ｂ），図１５はいずれも従来公知の管理機の例を示している。
尚、各図において共通の符号は共通の部品，部材等を示すものである。
【図面の簡単な説明】
【００２８】
【図１】（Ａ），（Ｂ）は共に本発明の第１実施例を示す管理機の平面図及び側面図である。
【図２】（Ａ）〜（Ｄ）は本発明の実施例に用いる収納具の平面図，背面図，右側面図及び左側面図である。
【図３】（Ａ），（Ｂ）は本発明の実施例に用いるアタッチメントの分解平面図及び分解斜視図である。
【図４】アタッチメントを取付けた収納具の側面図である。
【図５】本発明の第２実施例を示す管理機の側面図である。
【図６】（Ａ），（Ｂ）は本発明の第３実施例を示す管理機の平面図及び側面図である。
【図７】本発明の第３実施例におけるハンドル折畳み状態側面図である。
【図８】管理機のバンプを兼ねた第３実施例で用いるロータリーカバーフレームと収納具取付用横杆（持ち手）及びゲージ輪ガイドの拡大側面図である。
【図９】（Ａ），（Ｂ）は第３実施例で用いる管理機のハンドル起立状態及び折畳み状態の側面図である。
【図１０】（Ａ），（Ｂ）は収納具を前方横杆（持ち手）の外側（前方）に付設した本発明の第４実施例を示す管理機の平面図及び側面図である。
【図１１】一軸型管理機に応用した第５実施例の側面図である。
【図１２】同じく一軸型管理機に応用した第６実施例を示す側面図である。
【図１３】収納具を付設していない状態の一軸型管理機の例を示す側面図である。
【図１４】（Ａ），（Ｂ）は従来公知の管理機を示す平面図及び側面図である。
【図１５】従来公知の管理機を示す側面図である。
【符号の説明】
【００２９】
１    機体
１９  横杆（持ち手）
２３  フック（係合部）
２６  アタッチメント
３４  ロック爪（係合部）
３７  横杆
【図１】
2008142039.tif 000003
【図２】
2008142039.tif 000004
【図３】
2008142039.tif 000005
【図４】
2008142039.tif 000006
【図５】
2008142039.tif 000007
【図６】
2008142039.tif 000008
【図７】
2008142039.tif 000009
【図８】
2008142039.tif 000010
【図９】
2008142039.tif 000011
【図１０】
2008142039.tif 000012
【図１１】
2008142039.tif 000013
【図１２】
2008142039.tif 000014
【図１３】
2008142039.tif 000015
【図１４】
2008142039.tif 000016
【図１５】
2008142039.tif 000017